(57)【要約】【課題】患者の鼻腔内を刺激しないためのマスク用吸水部材を提供すること。【解決手段】マスク１００の着用者側に取り付けられるマスク用吸水部材２２０であって、吸水部材２２０が、吸水部材２２０の上方に配置される第１吸水部２３０と、吸水部材２２０の下方に配置される第２吸水部２４０と、第１吸水部２３０と第２吸水部２４０との間に配置される突起部２５０と、を含み、第１吸水部２３０の一部と第２吸水部２４０の一部とが接着されることにより、突起部２５０が、マスク１００の着用者側に突起するマスク用吸水部材を提供する。【選択図】図６
2019039101.tif 000002
【特許請求の範囲】
【請求項１】
マスクの着用者側に取り付けられるマスク用吸水部材であって、
前記吸水部材が、
前記吸水部材の上方に配置される第１吸水部と、
前記吸水部材の下方に配置される第２吸水部と、
前記第１吸水部と前記第２吸水部との間に配置される突起部と、を含み、
前記第１吸水部の一部と前記第２吸水部の一部とが接着されることにより、前記突起部が、前記マスクの着用者側に突起するマスク用吸水部材。
【請求項２】
前記吸水部材に高吸水性ポリマーが含まれる請求項１記載のマスク用吸水部材。
【請求項３】
前記突起部が山折り線と谷折り線を有し、前記山折り線及び前記谷折り線に沿って折られることにより、前記突起部が前記マスクの着用者側に突起する請求項１又は２記載のマスク用吸水部材。
【請求項４】
前記突起部の横方向に切り欠き部が設けられる請求項１、２又は３記載のマスク用吸水部材。
【請求項５】
請求項１乃至４記載の前記マスク用給水部材を備えるマスク。
【請求項６】
着用者が顔に装着するマスクであって、
着用者が装着することにより着用者の口及び鼻の位置に配置されるマスク本体と、
前記マスク本体を着用者の口及び鼻の位置に配置するために、着用者の耳に引っ掛ける耳掛け部と、
前記マスク本体の着用者側に配置されるマスク用吸水部材と、を含み、
着用者の鼻腔を刺激しない又は刺激しにくいように、着用者の鼻孔から垂れる鼻水が前記マスク用吸水部材で吸水されるマスク。
【発明の詳細な説明】
【技術分野】
【０００１】
本発明は、着用者の顔に着用されるマスクに用いられる吸水部材及びこれを備えるマスクに関する。
【背景技術】
【０００２】
近年、花粉症や鼻炎等のアレルギーを有する患者が増えてきている。そして、そのようなアレルギーを有する患者は、鼻水が鼻孔から不意に垂れてくることが多く、ティッシュ等で鼻をかんだり、鼻孔にティッシュ等を詰めたりすることがある。
【０００３】
そして、そのようなアレルギーを有する患者は、一般的にマスクを着用する。患者がマスクを着用する理由としては、例えば花粉、ほこり、ＰＭ２．５等のアレルギーの原因となる物質又は風が鼻腔内に入らないようにすることが挙げられる。
【０００４】
しかし、アレルギーを有する患者がマスクを着用しても、マスクや鼻孔内に詰めたティッシュでは鼻水を吸収しきれず、マスクを外して鼻をかんだり、鼻孔にティッシュを詰めなおしたりしていた。
【０００５】
また、近年よく用いられているマスクは、生地が薄く、大量に排出される鼻水を吸収することはできない。また、マスク自体が鼻水や唾で濡れてしまい、マスクの着用者は、不快に感じることがある。また、外観上も見苦しくなってしまう。
【０００６】
特許文献１では、花粉症や感冒などで鼻水の流出が止まらないときに、既製品のマスクの内側に鼻に被せるように装着し、鼻水の流出を防止することにより、鼻をかむ回数を減少させるとともに、マスクの汚れを防止する鼻型のインナーパッドが開示されている。
【先行技術文献】
【特許文献】
【０００７】
【特許文献１】実用新案登録第３１４０００７号公報
【発明の概要】
【発明が解決しようとする課題】
【０００８】
しかしながら、特許文献１に係る考案は、吸水性の高い素材を鼻孔の形状にし、その素材を鼻孔に入れて、鼻孔から垂れてくる鼻水を吸水性の高い素材で吸収しようとするものである。
【０００９】
しかし、花粉症や鼻炎を発症している患者の鼻腔内は、炎症していたり、過敏になっているため、吸水性の高い素材であれ、ティッシュであれ何等かの物質を鼻孔から入れることにより、鼻腔内が刺激され、鼻腔内の炎症がひどくなったり、鼻腔内が過敏になったりする。
【００１０】
また、鼻腔内の炎症がひどくなったり、鼻腔内が過敏になることにより、クシャミが誘発され、さらに鼻孔から鼻水が垂れてくるおそれがあり、悪循環を繰り返してしまう。
【００１１】
また、特許文献１に係る考案では、吸水性の高い素材を鼻孔の形状にするという複雑な構造にするため、製造コストがかかるという問題がある。
【００１２】
本発明の主な目的は、患者の鼻腔内を刺激しないためのマスク用吸水部材を提供することである。
【００１３】
本発明の他の目的は、患者の鼻腔内を刺激しないためのマスク用吸水部材を備えるマスクを提供することである。
【００１４】
本発明の他の目的は、製造コストがかかりにくいマスク用吸水部材を提供することである。
【課題を解決するための手段】
【００１５】
本発明に係る第１の局面のマスク用吸水部材は、マスクの着用者側に取り付けられるマスク用吸水部材であって、
前記吸水部材が、
前記吸水部材の上方に配置される第１吸水部と、
前記吸水部材の下方に配置される第２吸水部と、
前記第１吸水部と前記第２吸水部との間に配置される突起部と、を含み、
前記第１吸水部の一部と前記第２吸水部の一部とが接着されることにより、前記突起部が、前記マスクの着用者側に突起するものである。
【００１６】
吸水部材が一般的なマスクに取り付けられることにより、そのマスクの着用者の唾や鼻水を吸水部材が吸水する。また、マスクに取り付けられた吸水部材は、マスクの着用者の鼻腔内を刺激しない。
【００１７】
また、吸水部材が一般的なマスクに取り付けられ、マスクの着用者の鼻の下に吸水部材の突起部が配置されるように着用者がマスクを着用することにより、鼻孔から流れてくる鼻水が突起部の吸水部材に吸水されやすくなる。
【００１８】
なお、「鼻腔」とは、鼻孔から咽頭までの空気の通路をいう。また、「鼻孔」とは、鼻腔の入口をいい、いわゆる鼻の穴のことをいう。
【００１９】
突起部は、吸水部材に別途取り付けられる構成であってもよく、この場合も突起部は吸水部材に含まれる。
【００２０】
本発明に係る第２の局面のマスク用吸水部材は、第１の局面に係るマスク用吸水部材であって、前記吸水部材に高吸水性ポリマーが含まれる。このようなものであれば、大量の鼻水を吸水することができる。
【００２１】
本発明に係る第３の局面のマスク用吸水部材は、第１の局面又は第２の局面に係るマスク用吸水部材であって、前記突起部が山折り線と谷折り線を有し、前記山折り線及び前記谷折り線に沿って折られることにより、前記突起部が前記マスクの着用者側に突起する。
【００２２】
このようなものであれば、吸水部材の突起部が作られやすい。また、複雑な構造ではないため、製造コストを抑えることができる。
【００２３】
本発明に係る第４の局面のマスク用吸水部材は、第１の局面、第２の局面又は第３の局面に係るマスク用吸水部材であって、前記突起部の横方向に切り欠き部が設けられる。
【００２４】
このようなものであれば、突起部が作られやすく、また、上吸水部の一部と下吸水部の一部とを接着しやすく、マスクの着用者が吸水部材を立体的にしやすい。
【００２５】
このような吸水部材であれば、マスクの着用者が吸水部材の使用時に立体的にすればよい。そのため、吸水部材の製造においては、生理用ナプキンや尿漏れパッド等の製造工程をそのまま利用することができ、製造コストを抑えることができる。
【００２６】
本発明に係る第５の局面のマスクは、第１の局面乃至第４の局面に係る前記マスク用給水部材を備えるマスクである。
【００２７】
吸水部材を一般的なマスクに取り付けるのではなく、最初からマスクに吸水部材が取り付けられていてもよい。このようなものであっても上記と同様の効果を奏する。なお、マスクは使い捨てマスクであってもよい。
【００２８】
本発明に係る第６の局面のマスクは、着用者が顔に装着するマスクであって、
着用者が装着することにより着用者の口及び鼻の位置に配置されるマスク本体と、
前記マスク本体を着用者の口及び鼻の位置に配置するために、着用者の耳に引っ掛ける耳掛け部と、
前記マスク本体の着用者側に配置されるマスク用吸水部材と、を含み、
着用者の鼻腔を刺激しない又は刺激しにくいように、着用者の鼻孔から垂れる鼻水が前記マスク用吸水部材で吸水されるマスクである。このようなものであっても上記と同様の効果を奏する。
【図面の簡単な説明】
【００２９】
【図１】本発明に係る一実施形態におけるマスクが着用された概念図。
【図２】本発明に係る一実施形態におけるマスクの平面図。
【図３】本発明に係る一実施形態における吸水部材の分解斜視図。
【図４】本発明に係る一実施形態における吸水部材の平面図。
【図５】本発明に係る一実施形態における吸水部材の平面図。
【図６】本発明に係る一実施形態における着用されたマスクの断面図。
【発明を実施するための形態】
【００３０】
以下、本発明に係る使い捨てマスクであるマスク１００の実施形態に関して図面を参照しながら説明する。
【００３１】
（マスク本体２００）
図１及び図２に示すように、マスク１００は、着用者の顔の口と鼻の位置に配置されるマスク本体２００と、
マスク本体２００を当該位置に配置するための耳掛け部３００と、を含む。
【００３２】
マスク本体２００は、通気性のあるマスク本体部材２１０と、
通気性及び吸水性のある吸水部材２２０と、を含む。マスク本体部材２１０及び吸水部材２２０については、ｙ軸方向に重ねるように取り付けられている。具体的な内容については後述する。
【００３３】
（耳掛け部３００）
図１及び図２に示すように、耳掛け部３００は紐状であり、耳掛け部３００の上端部３１０及び下端部３２０が、マスク本体部材２１０の上方及び下方に接続される。上端部３１０は、マスク本体部材２１０の上端縁２１０ａ側に接続され、下端部３２０は、下端縁２１０ｂ側に接続されている。
【００３４】
そして、耳掛け部３００は、マスク本体部材２１０のｘ軸方向の両端に２箇所設けられており、着用者の耳に引っ掛けることができる。つまり、耳掛け部３００は着用者の耳に掛けられることにより、マスク１００が、着用者に着用される。
【００３５】
耳掛け部３００は、伸縮可能な弾性部材が好ましい。また、耳掛け部３００は、例えば不織布や織布、プラスチックフィルム、ゴムひも等の公知の弾性材料によって形成される。
【００３６】
（マスク本体部材２１０）
図２に示すように、マスク本体部材２１０は、ｙ軸正方向側に配置される内層シート２１１と、ｙ軸負方向側に配置される外層シート２１２と、を含む。
【００３７】
内層シート２１１と外層シート２１２とは、マスク本体部材２１０の外周縁に沿って断続的に延びる接着部２１３によって互いに接合されている。
【００３８】
接着部２１３は、マスク本体部材２１０の上端２１０ａで接着する第１接着部２１３ａと、
下端２１０ｂで接着する第２接着部２１３ｂと、
ｘ軸負方向側に配置される左側端２１０ｃで接着する第３接着部２１３ｃと、
ｘ軸正方向側に配置される右側端２１０ｄで接着する第４接着部２１３ｄと、を含む。
【００３９】
内層シート２１１と外層シート２１２とは、例えば、熱融着性繊維を含む通気性を有する繊維不織布シートであって、メルトブローン繊維不織布、スパンボンド繊維不織布、ＳＭＳ繊維不織布及びエアスルー繊維不織布等の各種公知の繊維不織布の他に、ガーゼ、木綿布等の良好な通気性を有するシート材料から形成されるものである。
【００４０】
また、それらの間に微粒子のフィルター機能を有していたり、抗菌剤、芳香剤等を含む中間シートを介在させてもよい。
【００４１】
接着部２１３は、内層シート２１１と外層シート２１２とを互いに接着する。
【００４２】
接着部２１３は、第１接着部２１３ａと第２接着部２１３ｂとにおいては、ｘ軸方向へ延びるように配置されており、ｚ軸方向へ延びる２つの接着ラインを形成する。
【００４３】
第１接着部２１３ａのシールライン間には、ｘ軸方向へ延びる弾性帯片（ノーズフィット）２１４が配置されている。弾性帯片２１４は、内層シート２１１と外層シート２１２との間に介在されている。
【００４４】
具体的には、弾性帯片２１４は、第１接着部２１３ａを形成する接着ライン間に形成された筒状の空間内に挟持固定されている。弾性帯片２１４のｘ軸方向の両端には、弾性帯片２１４のｘ軸方向への移動を規制する第１接着部２１３ａが配置されている。
【００４５】
（吸水部材２２０）
図３に示すように、吸水部材２２０は、その着用時に着用者の肌側を向く表面シート２２１と、
マスク本体部材２１０側に配置される裏面シート２２２と、
表面シート２２１と裏面シート２２２との間に配置される吸水体２２３と、
表面シート２２１と吸水体２２３との間に配置される消臭シート２２４と、
裏面シート２２２と吸水体２２３との間に配置される吸水シート２２５と、を含む。
【００４６】
表面シート２２１と裏面シート２２２とはほぼ同形である。本実施形態では、吸水部材２２０は、マスク本体部材２１０と吸水部材２２０とが別々に分かれているが、マスク本体部材２１０と一体となる構成であってもよい。
【００４７】
裏面シート２２２における外面であるマスク本体部材２１０側（ｙ軸負方向側）の面に、吸水部材２２０をマスク本体部材２１０に固定するための粘着剤が塗布されている。これにより、マスク本体部材２１０と吸水部材２２０とが接着される。
【００４８】
表面シート２２１と裏面シート２２２とは、それらの周縁部において互いに接着されている。また、表面シート２２１と裏面シート２２２との間には、吸収体２２３が配置されている。
【００４９】
そして、表面シート２２１と吸収体２２３との間には、消臭シート２２４が配され、吸収体２２３と裏面シート２２２との間に吸水シート２２５が配置されている。
【００５０】
このように、本実施形態の吸水部材２２０においては、表面シート２２１と裏面シート２２２との間に、消臭シート２２４、吸収体２２３及び吸水シート２２５という３種類の部材が配置されている。
【００５１】
表面シート２２１は、液透過性を有するシート材料、例えば各種不織布や穿孔フィルム等を用いることができる。表面シート２２１の材料は、それ自身が親水性である。なお、表面シート２２１の材料が親水性でない場合であっても、親水化処理を施したものであればよい。
【００５２】
また、表面シート２２１は、肌に密着しにくいように凹凸が施されていてもよい。
【００５３】
裏面シート２２２としては、液不透過性であるか、又は難透過性であるシート材料、例えば合成樹脂性のフィルムやスパンボンド−メルトブローン−スパンボンド不織布等を用いることができる。裏面シート２２２は、水蒸気透過性を有していてもよい。
【００５４】
吸収体２２３は、吸水部材２２０の長手方向（ｘ軸方向）と一致する長手方向を有する矩形のものである。吸収体２２３としては、パルプと高吸収ポリマーの混合積繊体でもよいが、高吸収ポリマーの割合が高いほど薄型化、消臭効果が高くなるので好ましい。
【００５５】
吸収体２２３の表面は、繊維材料を含む繊維シートから構成されている。この繊維シートは、鼻水・唾等の液体を高吸収性ポリマーへ導くことが可能な液透過性を有している。
【００５６】
繊維シートとしては、例えば紙、不織布、織布などを用いることができる。繊維シートを構成する繊維としては、液透過性の高さの観点から親水性繊維を用いることが有効である。
【００５７】
親水性繊維としては、例えば木材パルプ、コットン、レーヨン等のセルロース系繊維が好適に用いられる。また、吸収体２２３の液透過性を損なわない範囲において、吸収体２２３の強度を高めることを目的として、熱融着性繊維等の疎水性合成繊維を少量配合してもよい。
【００５８】
吸水部材２２０の構成部材のうち、最も嵩高い部材である吸収体２２３を薄型とすることが好ましい。
【００５９】
高吸収性ポリマーの例としては、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。
【００６０】
高吸収性ポリマーは、自重の２０倍以上の水又は生理食塩水を吸収し保持し得る性能を有するものが好ましい。
【００６１】
吸収体２２３は、例えば一方の面にホットメルト粘着剤等の接着剤を間欠塗布し、その上に高吸収性ポリマーの粒子を散布して該粒子を固定し、更にその上に他方のシートを重ね合わせ、両シートを接着剤によって接合することで得られる。
【００６２】
この場合、高吸収性ポリマーの粒子の散布は、均一散布でもよく、あるいは筋状の散布部と筋状の非散布部とが交互に位置するように、粒子をパターン散布してもよい。
【００６３】
別法として、一方のシートを水に濡らして湿潤状態にし、その上に高吸収性ポリマーの粒子を散布して、該粒子に粘着性を発現させ、更にその上に他方のシートを重ね合わせ、高吸収性ポリマーの粒子の粘着性を利用して両シートを接合して吸収体２２３を得てもよい。
【００６４】
図３に示すように、吸収体２２３は、消臭シート２２４と吸収シート２２５との間に配置される。また同図に示すように、吸収体２２３を挟む消臭シート２２４及び吸収シート２２５は、吸収体２２３の周縁部の全域から外方へ延出する大きさを有している。
【００６５】
つまり、消臭シート２２４及び吸収シート２２５は、吸収体２２３よりも大きな長さ及び幅を有している。
【００６６】
なお、本実施形態では、吸水部材２２０に消臭シート２２４が配置されているが、消臭シート２２４がない構成であってもよい。
【００６７】
消臭シート２２４及び吸収シート２２５はほぼ同形であり、略長円形の形状を有している。消臭シート２２４及び吸収シート２２５は、先に説明した表面シート２２１及び裏面シート２２２と略相似形になっており、かつ表面シート２２１及び裏面シート２２２を一回り程度縮小した形状になっている。
【００６８】
消臭シート２２４は、表面シート２２１上に付着した鼻水や唾から生じる臭いを抑えるために用いられるものである。消臭シート２２４は、表面シート２２１上に付着した液体を、消臭シート２２４よりもｙ軸負方向側に配置される部材である吸収体２２３や吸収シート２２５へ導くことが可能な液透過性を有している。
【００６９】
消臭シート２２４は、吸収体２２３と同様に繊維シートから構成されていることが好ましい。そのような繊維シートとしては、例えば紙、不織布、織布などを用いることができる。繊維シートを構成する繊維としては、吸収体２２３と同様に、親水性繊維を用いることが好ましい。
【００７０】
また、消臭シート２２４の液透過性を損なわない範囲において、消臭シート２２４の強度を高めることを目的として、熱融着性繊維等の疎水性合成繊維を少量配合してもよい。
【００７１】
消臭シート２２４には、消臭剤が含まれている。この消臭剤としては、表面シート２２１上に付着した液体から生じる臭いを吸収する作用、中和する作用、又はマスキングする作用を有する剤が用いられる。
【００７２】
そのような剤は、疎水性のものであることが好ましい。疎水性の剤として本実施形態において好適に用いられるものは、例えば、活性炭の粒子、架橋性ビニルモノマー及びヘテロ芳香環を有するビニルモノマーを含むモノマー成分を共重合して得られ、かつ金属イオンを含有している粒子、抗菌性を有する金属を含むカンクリナイト様鉱物の粒子、ハイシリカゼオライトの粒子等が挙げられるが、これらに限定されるものではない。これらの消臭剤はそれぞれ単独で又は２種以上を組み合わせて用いることができる。
【００７３】
消臭シート２２４は、例えば同一の又は異なる繊維シート間に消臭剤の粒子を保持してなるか、又は単一の繊維シートにおける繊維間に消臭剤の粒子を保持してなるものがある。
【００７４】
消臭シート２２４が前者の形態である場合には、吸収体２２３の製造方法と同様の方法によって消臭シート２２４を製造することができる。消臭シート２２４が後者の形態である場合には、繊維材料及び消臭剤の粒子を含む水スラリーからなる抄紙原料を調製し、該抄紙原料を用いた湿式抄造によって消臭シート２２４を製造することができる。
【００７５】
上述した消臭シート２２４の疎水化に関し、該消臭シート２２４の疎水性の程度と、吸収体２２３及び吸水シート２２５の疎水性の程度とを対比すると、消臭シート２２４の疎水性の程度の方が高いことが、吸収体２２３等に吸収保持された液の表面シート２２１側への逆戻りを防止する観点から好ましい。
【００７６】
これらのシートの疎水性の程度は、クレム吸収高さ（ＪＩＳ  Ｐ８１４１）を尺度として比較することができるところ、本実施形態においては、吸収体２２３及び吸水シート２２５はそれらのクレム吸水高さが、消臭シート２２４のクレム吸水高さよりも大きいものであることが好ましい。
【００７７】
なお、消臭シート２２４のクレム吸水高さよりも大きければ、吸収体２２３及び吸水シート２２５のクレム吸水高さの大小関係に特に制限はない。
【００７８】
消臭シート２２４とともに吸収体２２３を挟持する吸収シート２２５は、吸収体２２３で吸収しきれずに、吸収体２２３を透過してきた液を一時的にストックするための作用を有するものである。
【００７９】
吸収シート２２５は、吸液性のあるシート材料から構成されており、かつ吸水部材２２０の薄型・軽量化の観点から、高吸収性ポリマーを含んでいないものが用いられる。また、平面方向への液の拡散性の高いものが好ましい。
【００８０】
吸収シート２２５は、例えば親水性の繊維材料を含む繊維シートが好適に用いられる。そのような繊維シートとしては、例えば紙、不織布、織布等が挙げられ、特に薄葉紙等の紙が好適に用いられる。吸収シート２２５は、クレープ加工された紙であることが好ましい。
【００８１】
以上の構成を有する吸水部材２２０においては、消臭シート２２４及び吸収体２２３が薄手のものなので、表面シート２２１上に付着した液は、これらの部材を透過して、裏面シート２２２のすぐ上に位置する部材である吸収シート２２５にまで到達する。
【００８２】
そして、液は吸収シート２２５に一旦ストックされる。そして、吸収シート２２５に一旦ストックされた液は、吸収体２２３の吸収能力が十分に発揮されるまでの間、吸収シート２２５の平面方向に広く拡散される。
【００８３】
吸収シート２２５の平面方向に全域にわたって広く拡散された液は、吸収体２２３の吸収能力が発揮されると、吸収体２２３によって吸い取られる。この場合、上述のとおり、吸収シート２２５は、その大きさが吸収体２２３よりも大きいので、吸収体２２３の全域において、吸収シート２２５からの液の吸い上げが生じる。
【００８４】
また、吸収体２２３に吸収保持された液からは、時間の経過とともに臭いが生じるところ、その臭いは、吸収体２２３上に配置された消臭シート２２４によって抑えられる。
【００８５】
特に、消臭シート２２４はその大きさが吸収体２２３よりも大きいので、吸収体２２３の全体が、あたかも消臭シート２２４によって蓋をされた状態になっているので、液から発生する臭いが外部へ放出されることが効果的に防止される。
【００８６】
消臭シート２２４には消臭剤が含まれており、消臭剤は疎水性のものであるから、消臭シート２２４は、ｙ軸負方向側に配置される吸収体２２３や吸収シート２２５よりも、シート全体としての疎水度が高くなっている。
【００８７】
その結果、吸収体２２３や吸収シート２２５に吸収保持されている液が、表面シート２２１側に逆戻りすることが起こりづらくなり、表面シート２２１の肌対向面側はドライな状態が保たれる。これによって装着感が一層良好になる。
【００８８】
なお、消臭シート２２４には、メントール等の芳香剤が含まれる構成であってもよい。
【００８９】
（吸水部材２２０の構造）
図４乃至図６に示すように、吸水部材２２０は、ｚ軸正方向側に配置される第１吸水部２３０と、
ｚ軸負方向側に配置される第２吸水部２４０と、
第１吸水部２３０と第２吸水部２４０との間に配置され、ｙ軸正方向側に突起させることができる突起部２５０と、
ｘ軸方向に延伸する切り欠き部２６０と、を含む。
【００９０】
第１吸水部２３０は、ｘ軸負方向側に配置される接着部である第５接着部２３１と、ｘ軸正方向側に配置される接着部である第６接着部２３２と、を含む。
【００９１】
第２吸水部２４０は、ｘ軸負方向側に配置される接着部である第７接着部２４１と、ｘ軸正方向側に配置される接着部である第８接着部２４２と、を含む。
【００９２】
第５接着部２３１と第７接着部２４１とが接着され、第６接着部２３２と第８接着部２４２とが接着されることにより、吸水部材２２０は、略椀状（略カップ状）の形状となる。
【００９３】
これにより、マスク１００の着用者の鼻の下部が吸水部材２２０に覆われやすくなる。また、マスク１００の着用者の口元は、口と吸水部材２２０との間に空間ができるため、当該着用者は呼吸がし易くなる。
【００９４】
突起部２５０には、第１吸水部２３０と突起部２５０との間に第１谷折り線２５１が設けられている。
【００９５】
また、突起部２５０には、第２吸水部２４０と突起部２５０との間に第２谷折り線２５２が設けられている。
【００９６】
第１谷折り線２５１と第２谷折り線２５２との間には、山折り線２５３が設けられている。
【００９７】
山折り線２５３に沿って山折りに、第１谷折り線２５１及び第２谷折り線２５２に沿って谷折りにされることにより、ｙ軸正方向側に突起した突起部２５０が設けられる。
【００９８】
突起部２５０は、マスク１００の着用者の鼻孔から流れる鼻水が、着用者の口元に流れていくのを部分的にでも防ぐため、着用者は呼吸し易くなる。
【００９９】
切り欠き部２６０は、ｘ軸負方向側に設けられる第１切り欠き部２６１と、ｘ軸正方向側に設けられる第２切り欠き部２６２と、を含む。
【０１００】
本実施形態では、切り欠き部２６０はｘｚ平面視で所定の空間が設けられていたが、切り欠き部２６０は、ｘ軸方向に設けられる切り目であってもよい。
【０１０１】
このような場合であっても、吸水部材２２０は、略椀状（カップ状）の形状となり、マスク１００の着用者の口元は、口と吸水部材２２０との間に空間ができるため、当該着用者は呼吸がし易くなる。
【０１０２】
また、吸水部材２２０は、生理用ナプキンや尿漏れパッド等と同様の製造技術で製造することができるため、既にある製造工程を用いることができ、製造コストがかかりにくい。
【０１０３】
なお、吸水部材２２０は、その着用時に着用者の肌側を向く表面シート２２１と、
マスク本体部材２１０側に配置される裏面シート２２２と、
表面シート２２１と裏面シート２２２との間に配置される吸水体２２３と、表面シート２２１と吸水体２２３との間に配置される消臭シート２２４と、
裏面シート２２２と吸水体２２３との間に配置される吸水シート２２５と、を含んでいるが、本実施形態ではこれらが接続された後に、切り欠き部２６０等の加工が施される。
【０１０４】
本発明は、その趣旨を逸脱しない範囲で種々の改良、修正、又は変形を加えた態様でも実施できる。
【０１０５】
例えば、本実施形態では、表面シート２２１等が接続されてから切り欠き部２６０等の加工が施されるが、表面シート２２１、裏面シート２２２、吸水多２２３、消臭シート２２４及び吸水シート２２５に対して切り欠き部２６０が設けられてから、各々を接続してもよい。
【符号の説明】
【０１０６】
１００…マスク
２００…マスク本体
２１０…マスク本体部材
２２０…吸水部材
２３０…第１吸水部
２４０…第２吸水部
２５０…突起部
２６０…切り欠き部
３００…耳掛け部
【図１】
2019039101.tif 000003
【図２】
2019039101.tif 000004
【図３】
2019039101.tif 000005
【図４】
2019039101.tif 000006
【図５】
2019039101.tif 000007
【図６】
2019039101.tif 000008